【手続補正書】
【提出日】平成16年2月16日(2004.2.16)
【手続補正１】
【補正対象書類名】明細書
【補正対象項目名】特許請求の範囲
【補正方法】変更
【補正の内容】
【特許請求の範囲】
【請求項１】
デジタル・テレビ・データ・ストリームにおいて、可変量で種々のタイプのユーザー情報を通信する帯域幅有効方法であって、
ユーザー情報を、連続ビデオフレームの垂直帰線消去期間（VBI)に対応する入力ビデオデータの部分から抽出する工程と、
抽出されたユーザー情報に複数の第1の識別子を与える工程であって、各第1の識別子が、特定の識別子と関連したユーザー情報の特定のタイプのカウントを特定する、ところの工程と、
所定の順序で、前記第1の識別子および関連したユーザー情報を、前記デジタル・テレビ・データ・ストリームに対するビデオシンタックス内に挿入する工程であって、前記順序が前記ビデオシンタックスにおいて各第1の識別子に続くユーザーデータのタイプを示す、ところの工程と、
前記第1の識別子およびユーザー情報を含む前記データストリームを受信機へと通信する工程と、
を含み、
前記第1の識別子は、前もって特定の量およびタイプのユーザー情報に対してスペースを予約することなく、種々の量で、種々のタイプのユーザー情報を収容するために、前記データストリームの調節を可能にする、ところの方法。
【請求項２】
請求項1に記載の方法であって、さらに、
第2の識別子を、抽出されたユーザー情報に与える工程と、
前記第2の識別子を、ビデオシンタックスに挿入する工程と、
を含み、
前記第2の識別子が、前記第1の識別子により特定された特定のタイプのユーザー情報のプライオリティーを指定する、ところの方法。
【請求項３】
請求項2に記載の方法であって、
前記第1および第2の識別子が前記ビデオシンタックス内の関連したユーザー情報に先行し、各第2の識別子が、対応する第1の識別子に続く、ところの方法。
【請求項４】
請求項1に記載の方法であって、
抽出されたユーザー情報が非リアルタイムビデオデータを含み、
当該方法が、さらに、
第2および第3の識別子を前記非リアルタイムビデオデータに与える工程を含み、
前記第2の識別子がシーケンス数を指定し、前記第3の識別子が前記非リアルタイムビデオデータの部分に対するセグメント数を指定する、
ところの方法。
【請求項５】
請求項1の記載の方法であって、
抽出されたユーザー情報がAMOLデータを含み、
当該方法が、
AMOLデータが短縮形で表示されたヌルデータであるどうかを指定するために第2の識別子を与える工程を含む、ところの方法。
【請求項６】
請求項5に記載の方法であって、さらに、
前記AMOLデータに対してパリティー値を指定するために第3の識別子を与える工程を含む、ところの方法。
【請求項７】
請求項1に記載の方法であって、
前記ビデオシンタックスに挿入された、抽出されたユーザー情報が、閉キャプションデータ、非リアルタイムビデオデータ、サンプル化ビデオデータ、およびAMOLデータの少なくとも二つを含む、ところの方法。
【請求項８】
請求項1に記載の方法であって、
前記ビデオシンタックス内の前記第1の識別子の所定の順序が、閉キャプションデータに対するカウントを特定する第1の識別子、その後に非リアルタイムビデオデータに対するカウントを特定する第1の識別子が続き、その後にサンプル化ビデオデータに対するカウントを特定する第1の識別子が続き、その後にAMOLデータに対するカウントを特定する第1の識別子が続いて成る、ところの方法。
【請求項９】
請求項1に記載の方法であって、
前記ビデオシンタックス内の前記第1の識別子の所定の順序が、閉キャプションデータに対するカウントを特定する第1の識別子、その後に非リアルタイムビデオデータに対するカウントを特定する第1の識別子が続いて成る、ところの方法。
【請求項１０】
請求項7の方法に従って通信されたユーザー情報をデコードする方法であって、
前記デジタル・テレビ・データ・ストリームをデコーダで受信し、そこで前記第1の識別子を検出する工程と、
前記閉キャプションデータを、閉キャプションデータの前記カウントがこのようなデータの存在を示すときに、処理する工程と、
を含む、ところの方法。
【請求項１１】
請求項7の方法に従って通信されたユーザー情報をデコードする方法であって、
前記デジタル・テレビ・データ・ストリームをデコーダで受信し、そこで前記第1の識別子を検出する工程と、
前記非リアルタイムビデオデータを、非リアルタイムビデオデータの前記カウントがこのようなデータの存在を示すときに、処理する工程と、
を含む、ところの方法。
【請求項１２】
請求項7の方法に従って通信されたユーザー情報をデコードする方法であって、
前記デジタル・テレビ・データ・ストリームをデコーダで受信し、そこで前記第1の識別子を検出する工程と、
前記サンプル化ビデオデータを、サンプル化ビデオデータの前記カウントがこのようなデータの存在を示すときに、処理する工程と、
を含む、ところの方法。
【請求項１３】
請求項7の方法に従って通信されたユーザー情報をデコードする方法であって、
前記デジタル・テレビ・データ・ストリームをデコーダで受信し、そこで前記第1の識別子を検出する工程と、
前記AMOLオデータを、AMOLデータの前記カウントがこのようなデータの存在を示すときに、処理する工程と、
を含む、ところの方法。
【請求項１４】
請求項7に記載の方法であって、
前記デジタル・テレビ・データを前記受信機に通信する前に、第2の識別子が前記ビデオシンタックス内に与えられ、前記第2の識別子が前記第1の識別子により特定される特定のタイプのユーザー情報のプライオリティーを指定する、ところの方法。
【請求項１５】
請求項14に記載の方法であって、前記ユーザー情報のデコードする工程が、
受信されたデータストリームの前記第2の識別子を検出する工程と、
特定のユーザー情報の処理を、対応する第2の識別子により識別されるそのプライオリティーがデコーダにより支持されたプライオリティーでないときに、阻止する工程と、
を含む、ところの方法。
【請求項１６】
請求項8に記載の方法であって、さらに、
抽出されたユーザー情報に、前記第1の識別子により特定される特定のタイプのユーザー情報のプライオリティーを指定する第2の識別子を与える工程と、
前記非リアルタイムビデオデータに、シーケンス数を指定する第3の識別子および前記非リアルタイムビデオ部分に対してセグメント数を指定する第4の識別子を与える工程と、
前記AMOLデータに、AMOLデータが短縮形で表示されたヌルデータであるかどうかを指定する第5の識別子および前記AMOLに対するパリティー値を指定する第6の識別子を与える工程と、
を含む、ところの方法。
【請求項１７】
デジタルテレビ信号に含まれるユーザー情報をデコードするための受信機装置であって、
閉キャプションデータのカウントおよび非リアルタイムビデオデータのカウントを識別する、受信されたデジタルテレビ信号により運ばれるビデオシンタックスから情報を検出する手段と、
閉キャプションデータの前記カウントが垂直帰線消去部分にこのようなデータの存在を示すときに、前記閉キャプションデータを処理するための、前記検出する手段に応答する手段と、
非リアルタイムビデオデータの前記カウントが垂直帰線消去部分にこのようなデータの存在を示すときに、前記非リアルタイムビデオデータを処理するための、前記検出する手段に応答する手段と、
を含むところの受信機装置。
【請求項１８】
請求項17に記載の受信機手段であって、さらに、
サンプル化ビデオデータのカウントおよびAMOLデータの少なくとも一つを識別する前記ビデオシンタックスで情報を検出する工程と、
サンプル化ビデオデータの前記カウントが垂直帰線消去部分にこのようなデータの存在を示すときに、前記サンプル化データを処理するための、前記検出する手段に応答する手段と、
AMOLデータの前記カウントが垂直帰線消去部分にこのようなデータの存在を示すときに、前記AMOLデータを処理するための、前記検出する手段に応答する手段と、
を含むところの受信機装置。
【請求項１９】
請求項17に記載の受信機装置であって、前記処理手段のそれぞれが、
受信されたデータのプライオリティーを識別する情報を検出する手段と、
特定のユーザー情報の処理を、前記プライオリティーが受信機装置により支持されていないときに、阻止する手段と、
を含む、ところの受信機装置。
【請求項２０】
請求項17に記載の受信機装置であって、
前記受信されたデジタルテレビ信号がMPEGフォーマットを有する、ところの受信機装置。
【請求項２１】
デジタル・テレビ・データ・ストリームにおいて、帯域幅有効方法で、ユーザー情報を通信する装置であって、
ユーザー情報を、連続ビデオフレームの垂直帰線消去期間（VBI)に対応するデジタルビデオデータの部分から抽出する手段と、
前記抽出された手段により抽出された、複数の特定のタイプのユーザー情報を量子化し、第1の識別子と各タイプの情報とを関係づける手段と、
前記デジタル・テレビ・データ・ストリームを形成するために、所定の順序で関連づけられた第1の識別子を含む、抽出されたユーザー情報を、前記デジタルビデオデータの活動状態のビデオ部分と組み合わせる手段と、
を含み、
前記第1の識別子は、その識別子に続く特定のタイプのユーザー情報のカウントを特定し、前記所定の順序が、前記データストリームの各第1の識別子に続くユーザーデータのタイプを示し、
前記第1の識別子は、前もって前記ユーザー情報に対してスペースを予約することなく、種々の量で、種々のタイプのユーザー情報を収容するために、前記データストリームの調節を可能にする、ところの方法。
【請求項２２】
請求項21に記載の装置であって、さらに、
第2の識別子と抽出されたユーザー情報とを関連づける手段を含み、
前記第2の識別子が、前記第1の識別子により特定される特定のタイプのユーザー情報のプライオリティーを指定する、ところの装置。
【請求項２３】
請求項22に記載の装置であって、
前記第2の識別子のそれぞれが、対応する第1の識別子に続く前記データストリーム内に挿入される、ところの装置。
【請求項２４】
請求項21に記載の装置であって、
前記量子化および関連づけの手段が、閉キャプションデータに対するカウントを特定する第1の識別子および非リアルタイムビデオデータのカウントを特定する第1の識別子を与える、ところの装置。
【請求項２５】
請求項24に記載の装置であって、
前記量子化および関連づけの手段が、サンプル化ビデオデータに対するカウントを特定する第1の識別子およびAMOLデータのカウントを特定する第1の識別子を与える、ところの装置。
【請求項２６】
伝送のための圧縮された画像を有する対応するデジタル出力テレビ信号を受信機に与えるために、ユーザー情報を運ぶ入力ビデオ信号を処理するための帯域幅有効方法であって、
(a)  圧縮された画像の一つを形成するために使用される入力ビデオ信号の少なくとも一つの画像の垂直帰線消去期間（VBI）から、少なくとも一つのタイプのユーザー情報を抽出する工程と、
(b)  対応する圧縮された画像に与えられる、抽出された第一のタイプのユーザー情報の、多数のコンストラクトをカウントする工程と、
(c)  該(b)工程に応答して、対応する圧縮された画像に対するコンストラクトの数を指定する前記出力テレビ信号のためのビデオシンタックスに、カウント・シンタックスエレメントを与える工程と、
(d)  圧縮された画像を与えるために、入力ビデオ信号の能動状態のビデオ部分を圧縮する工程と、
(e)  コンストラクトが、ビデオシンタックスのコンストラクトの位置に基づいて、関連する第一のタイプのユーザー情報と相互に関連付けられるように、対応する圧縮された画像に対して関連したカウント・シンタックスエレメントの後に、ビデオシンタックスにコンストラクトを与える工程と、
(f)  出力テレビ信号を与えるために、圧縮された画像と、対応するビデオシンタックスとを組み合わせる工程と、
を有し、
カウント・シンタックスエレメントは、圧縮された画像当たりのコントラストの特定の数に対して、前もって予約されるべきスペースを必要とすることなく、対応するコンストラクトがビデオシンタックスに運ばれることを可能にする、
ところの方法。
【請求項２７】
請求項26に記載の方法であって、
カウントのシンタックスエレメントが、異なる圧縮された画像において、可変数のコンストラクトを指定するために可変である、ところの方法。
【請求項２８】
請求項２６に記載の方法であって、
コンストラクトのそれぞれが少なくとも１バイトからなる、ところの方法。
【請求項２９】
請求項26に記載の方法であって、
コンストラクトのそれぞれが、少なくとも一つの閉キャプションキャラクタからなる、ところの方法。
【請求項３０】
請求項26に記載の方法であって、
カウントのシンタックスエレメントは、ゼロの数のコンストラクトが対応する圧縮された画像に与えられるときに指定される、ところの方法。
【請求項３１】
伝送のための圧縮された画像を有する対応するデジタル出力テレビ信号を、受信機に与えるために、ユーザー情報を運ぶ入力ビデオ信号を処理するための帯域幅有効装置であって、
圧縮された画像の一つを形成するために使用される入力ビデオ信号の少なくとも一つの画像の垂直帰線消去期間（VBI）から、少なくとも一つのタイプのユーザー情報を抽出する手段と、
対応する圧縮された画像に与えられる、抽出された第一のタイプのユーザー情報の、多数のコンストラクトをカウントする手段と、
該カウント手段に応答して、対応する圧縮された画像に対するコンストラクトの数を指定する前記出力テレビ信号のためのビデオシンタックスに、カウント・シンタックスエレメントを与える手段と、
圧縮された画像を与えるために、入力ビデオ信号の能動状態のビデオ部分を圧縮する手段と、
コンストラクトが、ビデオシンタックスのコンストラクトの位置に基づいて、関連する第一のタイプのユーザー情報と相互に関連付けられるように、対応する圧縮された画像に対して関連したカウント・シンタックスエレメント後に、ビデオシンタックスにコンストラクトを与える手段と、
出力テレビ信号を与えるために、圧縮された画像と、対応するビデオシンタックスとを組み合わせる手段と、
を有し、
カウント・シンタックスエレメントは、圧縮された画像当たりのコントラストの特定の数に対して、前もって予約されるべきスペースを必要とすることなく、対応するコンストラクトがビデオシンタックスに運ばれることを可能にする、
ところの装置。
【請求項３２】
請求項31に記載の装置であって、
カウントのシンタックスエレメントが、異なる圧縮された画像において、可変数のコンストラクトを指定するために可変である、ところの装置。
【請求項３３】
請求項31に記載の装置であって、
コンストラクトのそれぞれが少なくとも１バイトからなる、ところの装置。
【請求項３４】
請求項31に記載の装置であって、
コンストラクトのそれぞれが、少なくとも一つの閉キャプションキャラクタからなる、ところの装置。
【請求項３５】
請求項31に記載の装置であって、
カウントのシンタックスエレメントは、ゼロの数のコンストラクトが対応する圧縮された画像に与えられるときに指定される、ところの装置。
【請求項３６】
受信されたデジタルテレビ信号で運ばれたユーザー情報をデコードする方法であって、
(a)  受信されたデジタルテレビ信号の、圧縮された画像の少なくとも一つのビデオ垂直帰線消去期間のビデオシンタックスから、少なくとも第一のタイプのユーザー情報に対するカウントのシンタックスエレメントを検出する工程と、
(b)  検出されたカウントのシンタックスエレメントにしたがって、対応する圧縮された画像に対して、第一のタイプのユーザー情報の、多数のコンストラクトを決定する工程と、
(c)  該(b)工程に応答して、ビデオシンタックスからコンストラクトを受信する工程と、
(d)  コンストラクトを、ビデオシンタックスにおけるコンストラクトの位置に基づいて第一のタイプのユーザー情報と相互に関連付ける工程と、
を含み、
コンストラクトは、対応する圧縮された画像に対して、関連したカウントのシンタックスエレメントの後に、ビデオシンタックスに与えられ、
カウント・シンタックスエレメントは、圧縮された画像当たりのコントラストの特定の数に対して、前もって予約されるべきスペースを必要とすることなく、対応するコンストラクトがビデオシンタックスに運ばれることを可能にする、
ところの方法。
【請求項３７】
請求項36に記載の方法であって、
カウントのシンタックスエレメントが、異なる圧縮された画像において、可変数のコンストラクトを指定するために可変である、ところの方法。
【請求項３８】
請求項36に記載の方法であって、
コンストラクトのそれぞれが少なくとも１バイトからなる、ところの方法。
【請求項３９】
請求項36に記載の方法であって、
コンストラクトのそれぞれが、少なくとも一つの閉キャプションキャラクタからなる、ところの方法。
【請求項４０】
請求項36に記載の方法であって、
カウントのシンタックスエレメントは、ゼロの数のコンストラクトが対応する圧縮された画像に与えられるときに指定される、ところの方法。
【請求項４１】
受信されたデジタルテレビ信号で運ばれたユーザー情報をデコードする装置であって、
受信されたデジタルテレビ信号の、圧縮された画像の少なくとも一つのビデオ垂直帰線消去期間のビデオシンタックスから、少なくとも第一のタイプのユーザー情報に対するカウントのシンタックスエレメントを検出する手段と、
検出されたカウントのシンタックスエレメントにしたがって、対応する圧縮された画像に対して、第一のタイプのユーザー情報の、多数のコンストラクトを決定する手段と、
該決定手段に応答して、ビデオシンタックスからコンストラクトを受信する手段と、
コンストラクトを、ビデオシンタックスにおけるコンストラクトの位置に基づいて第一のタイプのユーザー情報と相互に関連付ける手段と、
を含み、
コンストラクトは、対応する圧縮された画像に対して、関連したカウントのシンタックスエレメントの後に、ビデオシンタックスに与えられ、
カウント・シンタックスエレメントは、圧縮された画像当たりのコントラストの特定の数に対して、前もって予約されるべきスペースを必要とすることなく、対応するコンストラクトがビデオシンタックスに運ばれることを可能にする、
ところの装置。
【請求項４２】
請求項41に記載の装置であって、
カウントのシンタックスエレメントが、異なる圧縮された画像において、可変数のコンストラクトを指定するために可変である、ところの装置。
【請求項４３】
請求項41に記載の装置であって、
コンストラクトのそれぞれが少なくとも１バイトからなる、ところの装置。
【請求項４４】
請求項41に記載の装置であって、
コンストラクトのそれぞれが、少なくとも一つの閉キャプションキャラクタからなる、ところの装置。
【請求項４５】
請求項41に記載の装置であって、
カウントのシンタックスエレメントは、ゼロの数のコンストラクトが対応する圧縮された画像に与えられるときに指定される、ところの装置。
【請求項４６】
少なくとの第一のタイプのユーザー情報の関連したコンストラクトおよびカウントのシンタックスエレメントを有するビデオシンタックスを運ぶ少なくとも一つの圧縮された画像を含む、
帯域幅有効デジタルテレビ信号であって、
カウントのシンタックスエレメントは、対応する圧縮された画像に対して多数のコンストラクトを指定し、
第一のタイプのユーザー情報は、入力ビデオ信号の画像の垂直帰線消去期間（VBI）から抽出され、
カウントは、対応する圧縮された画像に対する、抽出された第一のタイプのユーザー情報の、多数のコンストラクトをカウントすることにより得られ、
コンストラクトは、そのコンストラクトが、ビデオシンタックスのコンストラクトの位置に基づいて、関連する第一のタイプのユーザー情報と相互に関連付けられるように、対応する圧縮された画像に対する関連したカウント・シンタックスエレメント後に、ビデオシンタックスに与えられ、
カウント・シンタックスエレメントは、圧縮された画像当たりのコントラストの特定の数に対して、前もって予約されるべきスペースを必要とすることなく、対応するコンストラクトがビデオシンタックスに運ばれることを可能にする、
ところの帯域幅有効デジタルテレビ信号。
【手続補正２】
【補正対象書類名】明細書
【補正対象項目名】０００５
【補正方法】変更
【補正の内容】
【０００５】
MPEG-2およびDigiCipher（商標）IIシンタックスの両方において、たとえばビデオフォーマットおよびカラー記述情報を含むシーケンスディスプレー拡張はシーケンス拡張およびユーザーデータに加えて、与えられる。画像ヘッダのサブシーケンスグループが、他の情報の間で、タイムコードを与える。その後、画像ヘッダが与えられるが、表示されるべき画像のシーケンスの対応する画像に付随する種々の情報を含む。画像拡張、および結局はデコードされ、見るために再生されるべき実際の画像が、次に与えられる。（シーケンスディスプレー拡張のような）種々の拡張、またはユーザーデータが、それらがシーケンス拡張の後で、かつGOPヘッダ（もし与えられるならば）もしくは画像ヘッダの前でなければならないという事実を越えて伝送されなければならないという順序を、MPEGが特定しないということに注意するべきである。MPEGは、送られるべきGOPヘッダを必要とせず、このようなヘッダは特別な実施の際には迂回させることができる。


【手続補正３】
【補正対象書類名】明細書
【補正対象項目名】００１５
【補正方法】変更
【補正の内容】
【００１５】
デジタル・テレビ・データ・ストリームにおいて、帯域幅有効方法で情報を通信する装置が設けられる。連続したビデオフレームの垂直帰線消去期間に対応するデジタルビデオデータの部分から情報を抽出するための手段が設けられる。抽出手段により抽出された、少なくとも一つの特定タイプの情報が量子化され、第1の識別子がそれに関連付けられる。第1の識別子はその識別子に続く情報の特定のタイプのカウントを特定する。デジタルビデオデータストリームを形成するために、関連した第1の識別子を含む、抽出された情報と、デジタルビデオデータの活動状態のビデオ部分とを組み合わせる手段が設けられる。第1の識別子は、前もって情報のために予約されるべきスペースなしに、可変量およびタイプの情報を収納するために、データストリームを調節できる。


【手続補正４】
【補正対象書類名】明細書
【補正対象項目名】００８５
【補正方法】変更
【補正の内容】
【００８５】
図４は、デコーダでVBIユーザー情報の、デジタルビデオデータストリームへの再構成を示す機能ブロック図である。圧縮されたビットストリームはターミナル170を介して、VBIユーザーデータデマルチプレクサ172へと入力される。デマルチプレクサの機能は、図３のビデオシンタックスパーサ140により与えられ、圧縮されたビットストリームの多重化を解き、閉キャプションユーザーデータ、非リアルタイムビデオユーザーデータ、サンプル化ビデオユーザーデータ、AMOLユーザーデータ、および活動状態のビデオを与える。活動状態のビデオの処理は、機能206により与えられる。その機能は、活動状態のビデオを受信し、それの圧縮を解き（たとえば、周知の移動推定および補償技術を使用して）、その圧縮が解けたビデオをVBIおよびビデオマルチプレクサ208に出力する。